(57)【要約】【課題】時間帯（ホームタイム都市）を変更した場合であっても確実に時刻修正をおこなうこと。【解決手段】時刻情報を含む標準電波を受信する受信部３０５と、受信部３０５によって自動的に前記標準電波の受信動作（定時受信）を実行する時刻を制御する受信動作制御部３０６と、を備え、受信動作制御部３０６が、計時時刻に基づいて、定時受信を実行する、あらかじめ定められた前記所望の時間帯における複数の時刻（定時受信時刻）のうち、第１の時刻に標準電波の受信動作を実行し、第１の時刻において標準電波の受信に失敗した場合にのみ、定時受信時刻のうち、第１の時刻の後の時刻において定時受信を、標準電波の受信が成功するまで順次実行するとともに、時間帯指定・変更部３０２によって時間帯の変更の指示が受け付けられた場合に、定時受信時刻のうち、変更後の時間帯における現在時刻の次にくる時刻において定時受信を実行する。【選択図】図３
2008215973.tif 000002
【特許請求の範囲】
【請求項１】
時刻を計時する計時手段と、
世界の複数の時間帯のうち、所望の時間帯の指定と、前記所望の時間帯の変更の指示と、を受け付ける時間帯指定・変更手段と、
前記計時手段によって計時されている時刻（以下「計時時刻」という）に基づいて、前記時間帯指定・変更手段によって指定された所望の時間帯における時刻を表示する表示手段と、
時刻情報を含む標準電波を受信する受信手段と、
前記受信手段によって自動的に前記標準電波の受信動作（以下「定時受信」という）を実行する時刻を制御する受信動作制御手段と、
前記計時時刻を前記標準電波に基づいて修正する時刻修正手段と、
を備え、
前記受信動作制御手段は、
前記計時時刻に基づいて、前記定時受信を実行する、あらかじめ定められた前記所望の時間帯における複数の時刻（以下「定時受信時刻」という）のうち、第１の時刻に前記標準電波の受信動作を実行し、
前記第１の時刻において前記標準電波の受信に失敗した場合にのみ、前記定時受信時刻のうち、第１の時刻の後の時刻において前記定時受信を、前記標準電波の受信が成功するまで順次実行するとともに、
前記時間帯指定・変更手段によって前記時間帯の変更の指示が受け付けられた場合に、前記定時受信時刻のうち、変更後の前記時間帯における現在時刻の次にくる時刻において前記定時受信を実行することを特徴とする電波修正時計。
【請求項２】
時刻を計時する計時手段と、
世界の複数の時間帯のうち、所望の時間帯の指定と、前記所望の時間帯の変更の指示と、を受け付ける時間帯指定・変更手段と、
前記計時手段によって計時されている時刻（以下「計時時刻」という）に基づいて、前記時間帯指定・変更手段によって指定された所望の時間帯における時刻を表示する表示手段と、
時刻情報を含む標準電波を受信する受信手段と、
前記受信手段によって自動的に前記標準電波の受信動作（以下「定時受信」という）を実行する時刻を制御する受信動作制御手段と、
前記計時時刻を前記標準電波に基づいて修正する時刻修正手段と、
を備え、
前記受信動作制御手段は、
前記計時時刻に基づいて、前記定時受信を実行する、あらかじめ定められた前記所望の時間帯における複数の時刻（以下「定時受信時刻」という）のうち、第１の時刻に前記定時受信を実行し、
前記第１の時刻において前記標準電波の受信に失敗した場合にのみ、前記定時受信時刻のうち、第１の時刻の後の時刻において前記定時受信を、前記標準電波の受信が成功するまで順次実行するとともに、
前記時間帯指定・変更手段によって前記時間帯の変更の指示が受け付けられた場合に、前記定時受信時刻のうち、変更後の前記時間帯における現在時刻の次にくる時刻以降のすべての時刻において前記標準電波の受信動作を実行することを特徴とする電波修正時計。
【請求項３】
前記定時受信の回数および当該定時受信の各回における前記定時受信時刻の指定を受け付ける定時受信回数・時刻指定手段を備えたことを特徴とする請求項１または２に記載の電波修正時計。
【請求項４】
前記定時受信時刻の変更の指示を受け付ける定時受信時刻変更指示手段を備えたことを特徴とする請求項１〜３のいずれか一つに記載の電波修正時計。
【請求項５】
前記定時受信時刻変更指示手段は、前記定時受信時刻のうち、前記第１の時刻を除く時刻のみの変更の指示を受け付けることを特徴とする請求項４に記載の電波修正時計。
【発明の詳細な説明】
【技術分野】
【０００１】
この発明は、電波修正時計に関し、特に、所定の時刻に定時受信をおこなう電波修正時計に関する。
【背景技術】
【０００２】
ホームタイム都市を切り替えて、複数の都市の時刻を表示するとともに、複数の国の標準電波を受信できる電波修正時計が従来からあった。このような世界時計の機能を備えた電波修正時計は、ホームタイム都市を切り替えることによって、当該ホームタイム都市を含む国の標準電波をホームタイム都市の時刻にあわせて受信できるような機能を備えている（たとえば、下記特許文献１参照。）。
【０００３】
また、電波修正時計は、通常、標準電波を毎日決められた時刻に受信する定時受信機能と、強制的に標準電波を受信する強制受信機能とを備えているのが一般的である。そして、定時受信はあらかじめ複数時刻において実行されるように設定されるものの、消費電力を節約するため、標準電波の受信に成功した後は、その後の定時受信はおこなわないのが一般的である。
【０００４】
【特許文献１】特開２００６−３８８００号公報
【発明の開示】
【発明が解決しようとする課題】
【０００５】
しかしながら、従来技術では、ホームタイム都市の切り替え前に標準電波の受信に成功していて、その後、ホームタイム都市を切り替えた場合に、翌日まで定時受信がなされず、その間正確な時刻に修正されない状態が続いてしまうという問題点があった。
【０００６】
この発明は、上述した従来技術による問題点を解消するため、時間帯（ホームタイム都市）を変更した場合であっても確実に時刻修正をおこなうことができる電波修正時計を提供することを目的とする。
【課題を解決するための手段】
【０００７】
上述した課題を解決し、目的を達成するため、この発明にかかる電波修正時計は、時刻を計時する計時手段と、世界の複数の時間帯のうち、所望の時間帯の指定と、前記所望の時間帯の変更の指示と、を受け付ける時間帯指定・変更手段と、前記計時手段によって計時されている時刻（以下「計時時刻」という）に基づいて、前記時間帯指定・変更手段によって指定された所望の時間帯における時刻を表示する表示手段と、時刻情報を含む標準電波を受信する受信手段と、前記受信手段によって自動的に前記標準電波の受信動作（以下「定時受信」という）を実行する時刻を制御する受信動作制御手段と、前記計時時刻を前記標準電波に基づいて修正する時刻修正手段と、を備え、前記受信動作制御手段が、前記計時時刻に基づいて、前記定時受信を実行する、あらかじめ定められた前記所望の時間帯における複数の時刻（以下「定時受信時刻」という）のうち、第１の時刻に前記標準電波の受信動作を実行し、前記第１の時刻において前記標準電波の受信に失敗した場合にのみ、前記定時受信時刻のうち、第１の時刻の後の時刻において前記定時受信を、前記標準電波の受信が成功するまで順次実行するとともに、前記時間帯指定・変更手段によって前記時間帯の変更の指示が受け付けられた場合に、前記定時受信時刻のうち、変更後の前記時間帯における現在時刻の次にくる時刻において前記定時受信を実行することを特徴とする。
【０００８】
また、この発明にかかる電波修正時計は、時刻を計時する計時手段と、世界の複数の時間帯のうち、所望の時間帯の指定と、前記所望の時間帯の変更の指示と、を受け付ける時間帯指定・変更手段と、前記計時手段によって計時されている時刻（以下「計時時刻」という）に基づいて、前記時間帯指定・変更手段によって指定された所望の時間帯における時刻を表示する表示手段と、時刻情報を含む標準電波を受信する受信手段と、前記受信手段によって自動的に前記標準電波の受信動作（以下「定時受信」という）を実行する時刻を制御する受信動作制御手段と、前記計時時刻を前記標準電波に基づいて修正する時刻修正手段と、を備え、前記受信動作制御手段が、前記計時時刻に基づいて、前記定時受信を実行する、あらかじめ定められた前記所望の時間帯における複数の時刻（以下「定時受信時刻」という）のうち、第１の時刻に前記定時受信を実行し、前記第１の時刻において前記標準電波の受信に失敗した場合にのみ、前記定時受信時刻のうち、第１の時刻の後の時刻において前記定時受信を、前記標準電波の受信が成功するまで順次実行するとともに、前記時間帯指定・変更手段によって前記時間帯の変更の指示が受け付けられた場合に、前記定時受信時刻のうち、変更後の前記時間帯における現在時刻の次にくる時刻以降のすべての時刻において前記標準電波の受信動作を実行することを特徴とする。
【０００９】
また、この発明にかかる電波修正時計は、上記発明において、前記定時受信の回数および当該定時受信の各回における前記定時受信時刻の指定を受け付ける定時受信回数・時刻指定手段を備えたことを特徴とする。
【００１０】
また、この発明にかかる電波修正時計は、上記発明において、前記定時受信時刻の変更の指示を受け付ける定時受信時刻変更指示手段を備えたことを特徴とする。
【００１１】
また、この発明にかかる電波修正時計は、上記発明において、前記定時受信時刻変更指示手段が、前記定時受信時刻のうち、前記第１の時刻を除く時刻のみの変更の指示を受け付けることを特徴とする。
【発明の効果】
【００１２】
本発明によれば、時間帯が変更された場合であっても、当該時間帯における定時受信時刻に確実に定時受信を実行することができ、それによって、時間帯が変更された場合であっても確実に時刻修正をおこなうことができる電波修正時計が得られるという効果を奏する。
【発明を実施するための最良の形態】
【００１３】
以下に添付図面を参照して、この発明による電波修正時計の実施の形態を詳細に説明する。
【００１４】
（電波修正時計の外観）
図１は、この発明の実施の形態にかかる電波修正時計の外観の一例を示す説明図である。図１において、電波修正時計は、本体１００と、本体１００をたとえば腕に装着するための図示を省略するバンドとから構成される、腕時計型の電波修正時計である。また、本体１００の外周には、りゅうず１１５および複数の操作ボタン１１６，１１７を備えている。
【００１５】
本体１００の表示部分には、通常時刻を示す通常指針（分針１０１、時針１０２、秒針１０３）と、複数のアナログ計（ＵＴＣ計１０４、２４時間計１０７、充電・局選択表示計１０９）と、モード表示部１１１と、電気光学的に情報を表示するデジタル表示部（第１デジタル表示部１１３、第２デジタル表示部１１４）とを備える。
【００１６】
通常指針は、秒針１０３が秒周期で回転、すなわち６０秒で１回転（１周）する。分針１０１が分周期で回転、すなわち６０分で１回転（１周）する。時針１０２が時周期で回転、すなわち１２時間で１回転（１周）する。これらの指針（秒針１０３、分針１０１、時針１０２）によって通常時刻を表示する。
【００１７】
ＵＴＣ計１０４は、ＵＴＣ分針１０５およびＵＴＣ時針１０６とを備え、ＵＴＣ（Ｃｏｏｒｄｉｎａｔｅｄ  Ｕｎｉｖｅｒｓａｌ  Ｔｉｍｅ（協定世界時））を表示する。ＵＴＣ計１０４は、図１にあっては、１２時付近の位置に設けている。ＵＴＣ分針１０５が６０分で１回転（１周）することによって「分」を示し、ＵＴＣ時針１０６が２４時間で１回転（１周）することによって「時（２４時間制）」を示す。
【００１８】
また、２４時間計１０７は、２４時間針（２４Ｈ針）１０８を備え、２４時間針１０８が２４時間で１回転（１周）することによって、通常時刻を２４時間制で表示する。２４時間計１０７によって、現時刻が午前なのか午後なのか（２４時間針１０８が右側にあれば「午前（ＡＭ）」であり、左側にあれば「午後（ＰＭ）」であること）が一目でわかる。
【００１９】
充電・局選択表示計１０９は、充電・局選択針１１０を備えている。充電・局選択針１１０は充電残量表示（上側）と、局選択（米国、独国、日本）表示（下側）とを兼ねており、切り替えによって双方を表示する。充電・局選択表示計１０９は、図１にあっては、１０時付近の位置に設けている。
【００２０】
モード表示部１１１は、モード針１１２を備えている。モード表示部１１１は、現在表示している状態が、モード針１１２が指し示す各種機能（モード）の状態であることを指し示す。モード表示部１１１は、図１にあっては、６時付近の位置に設けている。また、図１にあっては、モード表示部１１１は、「時刻（ＴＭＥ）」を示している。さらに、操作者がモード針１１２をりゅうず１１５などを用いて手動で回転させることによって、モード針１１２が指し示す各種機能（カレンダ、タイマ、ストップウォッチ、アラームなど）の切り替えを実行することができる。
【００２１】
第１デジタル表示部１１３は、任意都市を表示する表示部であり、図１にあっては、任意都市として「東京（ＴＹＯ）」と、その時刻「２３時０９分３５秒」を示している。第１デジタル表示部１１３は、図１にあっては、３時〜４時付近の位置に設けている。また、第２デジタル表示部１１４は、ホーム都市、すなわち通常針が表示している時刻の都市として「ニューヨーク（ＮＹＣ）」を示している。第２デジタル表示部１１４は、図１にあっては、９時付近の位置に設けている。第１デジタル表示部１１３に示した任意都市、第２デジタル表示部１１４に示したホーム都市は、それぞれ、りゅうず１１５、操作ボタン１１６，１１７によって任意に変更することができる。
【００２２】
（電波修正時計の構成）
図２は、この発明の実施の形態にかかる電波修正時計のハードウエア構成を示す説明図である。図２において、電波修正時計本体１００には、マイコンＩＣ２００と、ＲＡＭ２０１と、ＲＯＭ２０２と、モータ駆動回路２０３と、モータ２０４（２０４ａ、２０４ｂ、２０４ｃ、２０４ｄ）と、輪列２０５（２０５ａ、２０５ｂ、２０５ｃ、２０５ｄ）と、基準信号発生部２０６と、カウンタ部２０７と、アンテナ２０８と、同調回路２０９と、受信回路２１０と、スイッチ部２１１と、スイッチ制御回路２１２と、ソーラセル２１３と、二次電池２１４と、充電制御回路２１５と、液晶駆動回路２１６と、ＬＥＤ２１７と、ＬＥＤ駆動回路２１８と、アラーム２１９と、アラーム駆動回路２２０と、を備える。
【００２３】
マイコンＩＣ２００は、電波修正時計本体１００の全体を制御するほか、各種の構成部、回路を個別に演算制御する。ＲＡＭ２０１は、出力される時刻情報あるいはカレンダ情報を含む計時データなどの各種データを記憶している。また、ＲＯＭ２０２は、各種の制御プログラムを記憶している。
【００２４】
モータ駆動回路２０３は、独立した４つのモータ２０４（２０４ａ、２０４ｂ、２０４ｃ、２０４ｄ）を駆動し、輪列２０５（２０５ａ、２０５ｂ、２０５ｃ、２０５ｄ）を介して、それぞれの指針を別個独立に駆動する。
【００２５】
４つのモータ２０４のうち、一つめのモータ２０４ａは、図１に示した分針１０１および秒針１０３を駆動する。２つめのモータ２０４ｂは、図１に示した時針１０２および２４時間計１０７の２４時間針１０８を連動させて駆動する。３つめのモータ２０４ｃは、図１に示したＵＴＣ計１０４のＵＴＣ分針１０５およびＵＴＣ時針１０６を連動させて駆動する。４つめのモータ２０４ｄは、充電・局選択表示部１０９の充電・局選択針１１０を駆動する。モード表示部１１１のモード針１１２は、モータ駆動することなく、りゅうず１１５を手動で回転させ、りゅうず１１５と連動した歯車によって駆動される。
【００２６】
基準信号発生部２０６は、たとえば発振回路から構成され、計時処理の基準となる所定の周波数を有する信号を発生する。また、カウンタ部２０７は、基準信号発生部２０６から発生される所定の周波数を有する信号をマイコンＩＣ２００に対して出力する。
【００２７】
同調回路２０９は、アンテナ２０８と同調をとり、たとえばコンデンサの容量を切り替えるなどによって、６０ｋＨｚ（米国）、７７．５ｋＨｚ（独国）、４０ｋＨｚ、６０ｋＨｚ（日本）などの周波数にアンテナ２０８を同調する。また、受信回路２１０は、アンテナ２０８によって受信された信号から標準電波を検出し、マイコンＩＣ２００に対して出力する。
【００２８】
スイッチ部２１１は、操作者の操作指示を入力する。具体的には、図１に示したりゅうず１１５、操作ボタン１１６，１１７などによって構成される。スイッチ部制御回路２１２は、スイッチ部２１１からの信号に基づいて、操作者からの操作指示に関する入力をマイコンＩＣ２００に送信する。
【００２９】
充電制御回路２１５は、ソーラセル２１３によって受光された光を電力に変換し、二次電池２１４に蓄積する。また、充電制御回路２１５は、二次電池２１４の電圧（値）を検出する電圧検出機能、ソーラセル２１３が発電状態か非発電状態かを検出する発電検出機能などを備える。そして、これらの機能によって検出結果に関する信号をマイコンＩＣ２００に対して出力する。この信号に基づいて、充電・局選択表示計１０９における充電残量の表示をおこなう。
【００３０】
液晶駆動回路２１６は、第１デジタル表示部１１３、第２デジタル表示部１１４を駆動して各種情報を表示させる。また、ＬＥＤ駆動回路２１８は、ＬＥＤ２１７を駆動してバックライトとしてデジタル表示部１１３，１１４を照明したり、警告光を出力したりする。ＬＥＤ２１７の代わりに、ＥＬ（Ｅｌｅｃｔｒｏｌｕｍｉｎｅｓｃｅｎｃｅ）、ランプなどを用いてもよい。
【００３１】
アラーム駆動回路２２０は、アラーム２１９が搭載する図示を省略する圧電素子を駆動して、アラーム（ブザー）を出力する。その際、アラーム駆動回路２２０は、告知の種類によって、音の種類、高さ、音量などを変えて出力する。
【００３２】
図３は、この発明の実施の形態にかかる電波修正時計の機能的構成を示す説明図である。また図４は、図３の受信部３０５、受信動作制御部３０６、時刻修正部３０７のより詳細な構成を示す説明図である。図３において、電波修正時計１００は、計時部３０１と、時間帯指定・変更部３０２と、表示部３０３と、指定時刻帯時刻算出部３０４と、受信部３０５と、受信動作制御部３０６と、時刻修正部３０７と、定時受信回数・時刻指定部３０８と、定時受信時刻変更指示部３０９と、を含む構成となっている。
【００３３】
計時部３０１は、時刻（具体的にはＵＴＣ）を計時する。計時部３０１は、具体的には、たとえば図２に示した基準信号発生部２０６およびカウンタ部２０７によってその機能を実現することができる。
【００３４】
時間帯指定・変更部３０２は、世界の複数の時間帯のうち、所望の時間帯（ホーム都市）の指定を受け付ける。また、時間帯指定・変更部３０２は、所望の時間帯の変更の指示を受け付ける。時間帯指定・変更部３０２は、具体的には、たとえば図２に示したスイッチ部２１１（より具体的には、たとえば図１に示したりゅうず１１５および複数の操作ボタン１１６，１１７など）およびスイッチ制御回路２１２によってその機能を実現することができる。指定または変更された所望の時間帯は、図１に示した第２デジタル表示部１１４に都市名の略語で表示される。また、充電・局選択表示計１０９の充電・局選択表示針１１０が示す国名（ＵＳＡ、ＧＥＲ、ＪＰＮ）によっても知らしめることができる。
【００３５】
表示部３０３は、計時部３０１によって計時されている時刻（以下「計時時刻」という）に基づいて、時間帯指定・変更部３０２によって指定されまたは変更された所望の時間帯における時刻を表示する。表示部３０３は、具体的には、たとえば図２に示したモータ駆動回路２０３、モータ２０４、輪列２０５と図１に示した各指針１０１〜１０３、または液晶駆動回路２１６、第１デジタル表示部１１３、第２デジタル表示部１１４、または、ＬＥＤ駆動回路２１８、ＬＥＤ２１７、またはアラーム駆動回路２２０、アラーム２１９などによってその機能を実現する。図１にあっては、指針１０１〜１０３によってホーム都市が「ＮＹＣ（ニューヨーク）」であって、時刻が「午前１０時９分３５秒」であることがわかる。
【００３６】
指定時刻帯時刻算出部３０４は、時間帯指定・変更部３０２によって所望の時間帯が指定されまたは変更が指示された場合に、計時部３０１によって計時されている時刻に基づいて、当該時間帯における時刻を算出し、算出された時刻を所望の時間帯における時刻として表示部３０３へ出力する。指定時刻帯時刻算出部３０４は、具体的には、たとえば図２に示したマイコンＩＣが、ＲＡＭ２０１、ＲＯＭ２０２に記憶されたプログラムなどを実行することによってその機能を実現する。
【００３７】
受信部３０５は、時刻情報を含む標準電波を受信する。受信部３０５は、具体的には、たとえば図２に示した受信回路２１０などによってその機能を実現する。すなわち受信部３０５は、図４に示すように、増幅部４０１、フィルタ部４０２、検波部４０３、ＡＤ変換部４０４、ゲインコントロール部４０５などを含む構成となっている。
【００３８】
受信動作制御部３０６は、受信部３０５によって自動的に標準電波の受信動作（「定時受信」）を実行する時刻を制御する。定時受信とは、具体的には、たとえば計時時刻に基づいて、定時受信を実行する、あらかじめ定められた前記所望の時間帯における複数の時刻（「定時受信時刻」）のうち、第１の定時受信時刻に標準電波の受信動作を実行し、第１の定時受信時刻において標準電波の受信に失敗した場合にのみ、定時受信時刻のうち、第１の定時受信時刻の後の定時受信時刻において定時受信を、標準電波の受信が成功するまで順次実行することである。
【００３９】
このように、あらかじめ定められた定時受信時刻ごとに、第１の定時受信から開始して標準電波の受信を成功するまで順次実行し、成功した後は定時受信時刻がきても標準電波の受信は実行しない。これは、標準電波の受信による消費電力を節約するためである。定時受信時刻は、第１の定時受信時刻が一番早い時刻であり、その後時刻の早い順に第２の定時受信時刻、第３の定時受信時刻、．．．という順序で記憶されている（後述する図５を参照）。
【００４０】
具体的には、たとえば、第１の定時受信時刻が２：００である場合は、毎日２：００に第１回目の定時受信が実行される。第２回目以降の定時受信時刻が、０：００〜１：５９の間（たとえば１：００）に設定されていた場合であっても、毎日第１回目は２：００に実行され、その後の定時受信が連続して失敗し続けた場合に、翌日の１：００に定時受信が実行され、さらに同日の２：００（先ほどの定時受信から１時間後）に定時受信が実行されることになる。
【００４１】
受信動作制御部３０６は、時間帯指定・変更部３０２によって時間帯の変更の指示が受け付けられた場合に、定時受信時刻のうち、変更後の時間帯における現在時刻の次にくる定時受信時刻において定時受信を実行する。そして、標準電波の受信に失敗した場合には、次にくる定時受信時刻において再度定時受信を実行する。標準電波の受信に成功した場合には、その後の定時受信をおこなわない。
【００４２】
また、受信動作制御部３０６は、時間帯指定・変更部３０２によって時間帯の変更の指示が受け付けられた場合に、定時受信時刻のうち、変更後の時間帯における現在時刻の次にくる時刻以降のすべての時刻において標準電波の受信動作を実行する。したがって、たとえ標準電波の受信に成功したとしても、次にくる定時受信時刻において再度定時受信を実行する。これは、時間帯が変更された場合には、標準電波の種類も変更になるので、誤認識を確実に防止するためである。
【００４３】
たとえば、時間帯を変更したことによって、変更時が変更後の時間帯におけるサマータイム切替の当日であった場合を想定すると、仮にサマータイム切替時刻の前に定時受信が成功していたとしても、その後サマータイムに切り替わったのでは、サマータイムを反映した時刻にはならない。そこで、すでに定時受信に成功していたとしても、サマータイム切替時刻の後において定時受信をさらに実行するようにしておけば、今度はサマータイムを反映した時刻に素早く切り替わることができる。
【００４４】
このように、より確実に時刻修正をおこなわせることができる。受信動作制御部３０６は、具体的には、たとえば図２に示したマイコンＩＣが、ＲＡＭ２０１、ＲＯＭ２０２に記憶されたプログラムなどを実行することによってその機能を実現する。
【００４５】
時刻修正部３０７は、計時時刻を受信部３０５によって受信された標準電波に基づいて修正する。したがって、受信部３０５が標準電波の受信に失敗した場合は、計時時刻の修正はおこなわない。時刻修正部３０７は、具体的には、たとえば図２に示したマイコンＩＣが、ＲＡＭ２０１、ＲＯＭ２０２に記憶されたプログラムなどを実行することによってその機能を実現する。
【００４６】
定時受信回数・時刻指定部３０８は、定時受信の回数および定時受信の各回における定時受信時刻の指定を受け付ける。また、定時受信時刻変更指示部３０９は、定時受信時刻の変更の指示を受け付ける。これによって、所望の時刻に定時受信を実行させることができる。また、所望の回数だけ定時受信を実行させることができる。
【００４７】
また、定時受信時刻のうち、第１の定時受信時刻を除く定時受信時刻のみの変更の指示を受け付けるようにするとなおよい。第１の定時受信時刻は毎日最初に実行される時刻なので、この時刻を固定とし、任意に変更できなくすることで、確実に定時受信が実行されるようにすることができる。
【００４８】
定時受信回数・時刻指定部３０８、定時受信時刻変更指示部３０９は、具体的には、たとえば図２に示したスイッチ部２１１（より具体的には、たとえば図１に示したりゅうず１１５および複数の操作ボタン１１６，１１７など）およびスイッチ制御回路２１２によってその機能を実現することができる。
【００４９】
図４において、受信部３０５の増幅部４０１はアンテナ２０８によって受信した信号を増幅する。また、受信部３０５のフィルタ部４０２は所望の周波数（４０ｋＨｚ、６０ｋＨｚ、７７．５ｋＨｚ）以外を除去する。また、受信部３０５の検波部４０３は、受信した標準電波を検波する。また、受信部３０５のＡＤ変換部４０４は検波出力をデジタル出力に変換する。また、受信部３０５のゲインコントロール部４０５は増幅率を自動調整する。
【００５０】
時刻修正部３０７は、サンプリング部４１１と、データ判定部４１２と、デコード部４１３と、受信レベル判定部４１４と、時刻更新許可部４１５とから構成される。サンプリング部４１１は、受信部３０５からの出力を一定周期（たとえば３２Ｈｚ）でサンプリングする。そして、データ判定部４１２は、サンプリング結果から"０""１""Ｐ"あるいはエラーを判定する。また、ノイズが含まれているかを判断し、エラー若しくはノイズありの場合はあわせて受信レベル判定部４１４へ出力する。
【００５１】
デコード部４１３は、"０""１""Ｐ"コードに判定された結果に基づいて、図示を省略するフォーマットを用いて時刻情報を生成する。受信レベル判定部４１４は、データ判定部４１２からのエラー／ノイズ情報をカウントし、レベル分け（たとえば、"Ｈ""Ｍ""Ｌ"の３段階、あるいは５段階）をする。また、受信部３０５のゲインコントロール部４０５の出力によって受信電波の強弱による受信レベル分けでもよく、さらに、それらの両方でもよい。
【００５２】
時刻更新許可部４１５は、受信レベル判定部４１４によって判定された受信レベルおよびデコード部４１３によってデコードされた時刻情報に基づいて、時刻の更新（修正）をおこなうか否かを決定し、その決定にしたがって時刻の更新を実行（／不実行）する。
【００５３】
受信動作制御部３０６は、定時受信時刻情報記憶部４２１と、受信ＯＮ／ＯＦＦ部４２２とから構成される。受信ＯＮ／ＯＦＦ部４２２は、定時受信時刻情報記憶部４２１に記憶された定時受信時刻情報および時刻更新許可部４１５からの許可信号に基づいて、あるいは図２に示したスイッチ部２１１の押下などによって受信を開始したり、終了したりする。
【００５４】
定時受信時刻情報記憶部４２１は、定時受信時刻情報を記憶する。図５は、定時受信時刻情報記憶部４２１に記憶された定時受信時刻情報の内容を示す説明図である。図５において、定時受信時刻情報記憶部４２１には、各時間帯（日本、米国、独国）における定時受信時刻に関する情報が記憶されている。定時受信時刻は、第１番目から順に、それぞれ所定数の定時受信時刻が記憶されている。その数はそれぞれ時間帯によって同じでもよく、異なるようにしてもよい。また、各定時受信時刻もそれぞれ時間帯によって同じ時刻にしてもよく、また、異なる時刻にしてもよい。
【００５５】
たとえば、図５において、日本の時間帯では、第１番目に「２：００」、第２番目に「３：００」、第３番目に「４：００」がそれぞれ記憶されており、毎日、まずはじめに午前２時に最初の定時受信が実行され、次に３時、さらにその次が４時にそれぞれ定時受信が実行されることになる。日本の時間帯において、第４番目は空欄となっている。したがって、日本においては第４番目の定時受信は設定されていないことを意味する。また、定時受信時刻情報記憶部４２１に記憶された定時受信時刻情報を設定することができる。また、当該情報を書き換えることによって、定時受信時刻を変更することができる。
【００５６】
（電波修正時計の動作内容）
つぎに、電波修正時計の動作内容の一例について説明する。図６〜８は、それぞれこの発明の実施の形態にかかる電波修正時計の動作の内容を示すフローチャートである。図６は、時間帯の変更指示がなかった場合の定時受信の動作処理の内容である。
【００５７】
図６のフローチャートにおいて、まず、第ｎ番目の定時受信時刻を示すｎをｎ＝１にする（ステップＳ６０１）。つぎに、第ｎの定時受信時刻、すなわち第「１」の定時受信時刻になったか否かを判断する（ステップＳ６０２）。図５に示した日本の定時受信時刻情報においては、午前２時になったか否かを判断する。そして、第１の定時受信時刻になるのを待って、第１の定時受信時刻になった場合（ステップＳ６０２：Ｙｅｓ）は、標準電波の受信動作を実行する（ステップＳ６０３）。
【００５８】
そして、受信が成功したか否かを判断する（ステップＳ６０４）。ここで、受信が成功した場合（ステップＳ６０４：Ｙｅｓ）は、受信された標準電波に基づいて計時時刻を修正するとともに修正された計時時刻に基づいて表示時刻を修正し（ステップＳ６０５）、一連の処理を終了する。
【００５９】
ステップＳ６０４において、標準電波の受信に失敗した場合（ステップＳ６０４：Ｎｏ）は、今回の定時受信時刻が最後の定時受信時刻であるか否かを判断する（ステップＳ６０６）。ここで、今回の定時受信時刻が最後の定時受信時刻である場合（ステップＳ６０６：Ｙｅｓ）は、計時時刻の修正をすることなく、一連の処理を終了する。
【００６０】
一方、今回の定時受信時刻が最後の定時受信時刻でない場合（ステップＳ６０６：Ｎｏ）は、ステップＳ６０７へ移行する。今回は、第１回目であって、第２回目、第３回目があり、最後ではないので、ステップＳ６０７へ移行する。ステップＳ６０７では、ｎを＋１ＵＰする。すなわち、今回はｎ＝１なので、ｎ＝２にする。そして、ステップＳ６０２へ戻る。
【００６１】
ステップＳ６０２では、第ｎの定時受信時刻、すなわち第「２」の定時受信時刻になったか否かを判断する。図５に示した日本の定時受信時刻情報においては、午前３時になったか否かを判断する。以下同様の手順を繰り返すことで、定時受信の動作を実行することになる。
【００６２】
図７は、時間帯の変更指示があった場合の定時受信の動作処理の内容である。図７のフローチャートにおいて、まず、時間帯の変更指示があったか否かを判断する（ステップＳ７０１）。ここで、時間帯の変更指示がなければ、図６のフローを実行する。そして、時間帯の変更指示があるのを待って、時間帯の変更指示があった場合（ステップＳ７０１：Ｙｅｓ）は、通常表示時刻を変更する（ステップＳ７０２）。ここで、通常表示時刻を変更することによって時間帯の変更指示とする場合があり、その場合には、すでに通常表示時刻は変更されているので、変更はしない。
【００６３】
そして、ステップＳ７０２において変更された通常表示時刻が最後の定時受信時刻をすでに経過しているか否かを判断する（ステップＳ７０３）。図１に示した例では、ニューヨークに変更されており、通常表示時刻が午前１０時９分なので、いまだ最後の定時時刻（１５：００）は経過していないと判断することができる。
【００６４】
ここで、通常表示時刻が最後の定時受信時刻を経過していない場合（ステップＳ７０３：Ｎｏ）は、通常表示時刻の次にくる定時受信時刻になったか（図１に示した例では、図５に示した内容から第３回目の定時受信時刻である１１時になったか）否かを判断する（ステップＳ７０４）。
【００６５】
そして、通常表示時刻の次にくる定時受信時刻になるのを待って、定時受信時刻になった場合（ステップＳ７０４：Ｙｅｓ）は、ｎを次にくる定時受信時刻のｎとする（ステップＳ７０５）。図１に示した例では、今回（１１時）が３回目の定時受信であるので、この場合、ｎ＝４とする。その後、図６に示したステップＳ６０３へ移行する。その後の処理は、すでに説明したのでその詳細は省略する。
【００６６】
ステップＳ７０３において、通常表示時刻が最後の定時受信時刻を経過している場合（ステップＳ７０３：Ｙｅｓ）は、つぎに、所定時間が経過するのを待って、経過した場合（ステップＳ７０６：Ｙｅｓ）は、標準電波の強制受信を実行する（ステップＳ７０７）。そして、受信が成功したか否かを判断する（ステップＳ７０８）。ここで、受信が成功した場合（ステップＳ７０８：Ｙｅｓ）は、受信された標準電波に基づいて計時時刻を修正するとともに修正された計時時刻に基づいて表示時刻を修正し（ステップＳ７０９）、一連の処理を終了する。受信が成功しなかった場合（ステップＳ７０８：Ｎｏ）は、何もせずに一連の処理を終了する。
【００６７】
ここで、ステップＳ７０３において、通常表示時刻が最後の定時受信時刻を経過している場合（ステップＳ７０３：Ｙｅｓ）は、何もせずに、一連の処理を終了させてもよい。また、ステップＳ７０６において所定時間が経過するのを待って強制受信をおこなうようにした。その理由は、時間帯の変更指示の直後は、通常表示時刻を確認する場合が多く発生すると考えられるので、時間帯の変更指示の直後に強制受信に移行すると、通常表示時刻が表示されないことによる不都合が生じてしまう。その不具合を回避するためである。所定時間は、具体的には３０分以上、あるいは１時間以上が望ましいが、それには限定されない。また、時間帯の変更指示の直後に強制受信に移行するようにしてもよい。
【００６８】
図８は、時間帯の変更指示があった場合の定時受信の別の動作処理の内容である。図７のフローチャートのステップＳ７０５に引き続き、図８のフローチャートにおいて、まず、標準電波の受信動作を実行する（ステップＳ８０１）。そして、受信が成功したか否かを判断する（ステップＳ８０２）。ここで、受信が成功した場合（ステップＳ８０２：Ｙｅｓ）は、受信された標準電波に基づいて計時時刻を修正するとともに修正された計時時刻に基づいて表示時刻を修正し（ステップＳ８０３）、ステップＳ８０４へ移行する。一方、受信に失敗した場合（ステップＳ８０２：Ｎｏ）は、何もせずに、ステップＳ８０４へ移行する。
【００６９】
つぎに、ステップＳ８０４において、今回（第ｎ回目）の定時受信時刻が最後の定時受信時刻であるか否かを判断する（ステップＳ８０４）。ここで、今回の定時受信時刻が最後の定時受信時刻でない場合（ステップＳ８０４：Ｎｏ）は、ｎを＋１ＵＰする（ステップＳ８０５）。すなわち、今回はｎ＝１であれば、ｎ＝２にする。
【００７０】
その後、次の定時受信時刻、すなわち第ｎの定時時刻になったか否かを判断する。そし第ｎの定時受信時刻になるのを待って、第ｎの定時受信時刻になった場合（ステップＳ８０６：Ｙｅｓ）は、ステップＳ８０１へ戻って、標準電波の受信動作を実行する（ステップＳ８０１）。以下同様の手順を繰り返すことで、定時受信の動作を実行することになる。そして、ステップＳ８０４において、今回の定時受信時刻が最後の定時受信時刻である場合（ステップＳ８０４：Ｙｅｓ）は、一連の処理を終了する。
【００７１】
このような動作処理によって、通常表示時刻の次以降にくる定時受信時刻ごとに定時受信をすべて実行することができる。これは、それぞれ実行された定時受信における標準電波の受信が成功したか否かに関わらずおこなわれる。これによって、より確実に時刻修正をおこなうことができる。すなわち、標準電波の受信が成功したと誤って判断した場合であっても、その誤った判断によって計時時刻を間違った時刻に修正されてしまうことを防止することができる。
【００７２】
以上説明したように、本実施の形態では、時刻を計時する計時部３０１と、世界の複数の時間帯のうち、所望の時間帯の指定と、所望の時間帯の変更の指示と、を受け付ける時間帯指定・変更部３０２と、計時部３０１によって計時されている計時時刻に基づいて、時間帯指定・変更部３０２によって指定された所望の時間帯における時刻を表示する表示部３０３と、時刻情報を含む標準電波を受信する受信部３０５と、受信部３０５によって自動的に前記標準電波の受信動作（定時受信）を実行する時刻を制御する受信動作制御部３０６と、計時時刻を標準電波に基づいて修正する時刻修正部３０７と、を備えている。
【００７３】
そして、受信動作制御部３０６が、計時時刻に基づいて、定時受信を実行する、あらかじめ定められた前記所望の時間帯における複数の時刻（定時受信時刻）のうち、第１の時刻に標準電波の受信動作を実行し、第１の時刻において標準電波の受信に失敗した場合にのみ、定時受信時刻のうち、第１の時刻の後の時刻において定時受信を、標準電波の受信が成功するまで順次実行するとともに、時間帯指定・変更部３０２によって時間帯の変更の指示が受け付けられた場合に、定時受信時刻のうち、変更後の時間帯における現在時刻の次にくる時刻において定時受信を実行する。
【００７４】
これによって、時間帯が変更された場合に、時間帯が変更される前にすでに定時受信が成功していたとしても、変更された時間帯における定時受信時刻に確実に定時受信を実行することができる。
【００７５】
また、本実施の形態では、時間帯指定・変更部３０２によって時間帯の変更の指示が受け付けられた場合に、定時受信時刻のうち、変更後の時間帯における現在時刻の次にくる時刻以降のすべての時刻において標準電波の受信動作を実行することもでき、これによって、変更された時間帯における定時受信時刻により確実に定時受信を実行することができる。
【００７６】
また、本実施の形態では、定時受信の回数および当該定時受信の各回における前記定時受信時刻の指定を受け付ける定時受信回数・時刻指定部３０８を備えおり、また、定時受信時刻の変更の指示を受け付ける定時受信時刻変更指示部３０９を備えているので、所望のタイミングで定時受信を実行することができる。
【００７７】
さらに、定時受信時刻変更指示部３０９は、定時受信時刻のうち、第１の時刻を除く時刻のみの変更の指示を受け付けることにより、確実に定時受信が実行されるようにすることができる。
【００７８】
なお、上記実施の形態においては、腕時計（クロノグラフ）について説明したが、この電波修正時計には、腕時計、懐中時計、掛け時計、置き時計などのすべての種類の時計が含まれる。また、指針式表示機能を備えている、カメラ、デジタルカメラ、デジタルビデオカメラ、ゲーム機器、携帯電話機、ＰＤＡ（Ｐｅｒｓｏｎａｌ  Ｄｉｇｉｔａｌ  Ａｓｓｉｓｔａｎｔ）、ノート型パーソナルコンピュータなどの携帯可能な情報端末装置、さらには、家庭電化製品や自動車を含む電子機器であってもよい。
【産業上の利用可能性】
【００７９】
以上のように、本発明は、世界時計機能を備えた電波修正時計に有用であり、特に、複数の時間帯で標準電波を受信する電波修正時計に適している。
【図面の簡単な説明】
【００８０】
【図１】この発明の実施の形態にかかる電波修正時計の外観の一例を示す説明図である。
【図２】この発明の実施の形態にかかる電波修正時計のハードウエア構成を示す説明図である。
【図３】この発明の実施の形態にかかる電波修正時計の機能的構成を示す説明図である。
【図４】図３の受信部３０５、受信動作制御部３０６、時刻修正部３０７のより詳細な構成を示す説明図である。
【図５】定時受信時刻情報記憶部４２１に記憶された定時受信時刻情報の内容を示す説明図である。
【図６】この発明の実施の形態にかかる電波修正時計の動作の内容を示すフローチャート（その１）である。
【図７】この発明の実施の形態にかかる電波修正時計の動作の内容を示すフローチャート（その２）である。
【図８】この発明の実施の形態にかかる電波修正時計の動作の内容を示すフローチャート（その３）である。
【符号の説明】
【００８１】
１００  電波修正時計（本体）
１０１  分針
１０２  時針
１０３  秒針
１０４  ＵＴＣ計
１０７  ２４時間計
１０９  充電・局選択表示計
１１１  モード表示部
１１３  第１デジタル表示部（任意都市表示部）
１１４  第２デジタル表示部（ホーム都市表示部）
１１５  りゅうず
１１６，１１７  操作ボタン
２００  マイコンＩＣ
２０１  ＲＡＭ
２０２  ＲＯＭ
２０３  モータ駆動回路
２０４（２０４ａ〜２０４ｄ）  モータ
２０６  基準信号発生部
２０７  カウンタ部
２０８  アンテナ
２１１  スイッチ部
２１６  液晶駆動回路
３０１  計時部
３０２  時間帯指定・変更部
３０３  表示部
３０４  指定時刻帯時刻算出部
３０５  受信部
３０６  受信動作制御部
３０７  時刻修正部
３０８  定時受信回数・時刻指定部
３０９  定時受信時刻変更指示部
【図１】
2008215973.tif 000003
【図２】
2008215973.tif 000004
【図３】
2008215973.tif 000005
【図４】
2008215973.tif 000006
【図５】
2008215973.tif 000007
【図６】
2008215973.tif 000008
【図７】
2008215973.tif 000009
【図８】
2008215973.tif 000010